(57)【要約】【課題】遊技機本体に備えられて前扉を施錠するための、設計の自由度を向上させた遊技機の施錠装置を提供する。【解決手段】遊技機本体２の開放側の裏側でありかつその側縁に沿って施錠装置３１が装着される。施錠装置３１は、錠軸３２ｊの回動に伴って回動するカム片３３を有するシリンダー錠３２と、カム片３３の回動に伴って直線変位するスライド板３４と、スライド板３４の直線変位方向の一端及び他端側に、可撓性を有するフレキシブルケーブル５１と、それぞれのフレキシブルケーブル５１のスライド板３４側とは反対の端部に、遊技機本体の前面に開閉可能に備えられた前扉を係止することによりその前扉を施錠し、スライド板３４の直線変位に伴ってフレキシブルケーブル５１が変位することにより変位して開錠する鉤部４１とを備える。【選択図】図２
2009060980.tif 000002
【特許請求の範囲】
【請求項１】
遊技盤が配設された遊技機本体に備えられ、
錠軸の回動に伴って回動するカム片を有するシリンダー錠と、
前記カム片の回動に伴って直線変位するスライド板と、
前記スライド板の直線変位方向の一端及び他端側に、可撓性を有するフレキシブルケーブルと、
それぞれの前記フレキシブルケーブルの前記スライド板側とは反対の端部に、前記遊技機本体の前面に開閉可能に備えられた前扉を係止することによりその前扉を施錠し、鍵の操作による前記錠軸の回動により前記スライド板の直線変位に伴って前記フレキシブルケーブルが変位して開錠する鉤部と、
を備える遊技機の施錠装置。
【請求項２】
前記フレキシブルケーブルは、前記スライド板と前記鉤部とに接続され前記シリンダー錠の前記錠軸の回動による変位を前記スライド板から前記鉤部へと伝達するインナーワイヤーと、そのインナーワイヤーを内包するアウターケーシングとによって構成されている請求項１に記載の遊技機の施錠装置。
【請求項３】
前記カム片は、前記錠軸の回動に伴う自身の回動により前記スライド板と係合する係合部を有し、前記係合部により前記スライド板に係合して前記スライド板を直線変位させる請求項１または２に記載の遊技機の施錠装置。
【請求項４】
前記鉤部は、前記遊技機本体に取り付けられる取付板と、前記取付板に支持軸によって回動可能に固定されその先端部が鉤状の鉤状先端部とされたフックと、前記取付板に一端が接続され他端が前記フックの前記支持軸を挟んで前記鉤状先端部とは反対側に接続されたばねと、を備え、
前記フックの前記支持軸を挟んで前記ばねの他端が接続された側と反対側の前記鉤状先端部側に前記フレキシブルケーブルが接続されており、
前記ばねの弾性力により前記フックの前記鉤状先端部にて前記前扉を係止することにより施錠し、前記シリンダー錠の錠軸の回動によるフレキシブルケーブルの変位によって前記フックを回動させて開錠する請求項１〜３のいずれか１項に記載の遊技機の施錠装置。
【請求項５】
回動可能に前記シリンダー錠と、直線変位可能に前記スライド板とを前記遊技機本体に取り付ける錠取付板を有する請求項１〜４のいずれか１項に記載の遊技機の施錠装置。
【請求項６】
前記フレキシブルケーブルは、前記鉤部の前記取付板及び前記錠取付板の少なくとも一方に、前記スライド板と前記鉤部間の長さを調節するための調節部が設けられた請求項５に記載の遊技機の施錠装置。
【発明の詳細な説明】
【技術分野】
【０００１】
遊技機本体の前面に開閉可能に取り付けられた前扉を、遊技機本体に施錠するための遊技機の施錠装置に関する。
【背景技術】
【０００２】
遊技機の一種であるパチンコ機は、方形枠状の外枠の前面に、遊技盤を配設した内枠が片開き可能に支持されている。また、内枠の前面に、遊技盤の前面を覆う透明板保持枠（前扉）と、透明板保持枠の下方の内枠の前面に、玉皿を備えた前板とが片開き可能に支持されている。そして、内枠の開放側には鍵を差し込んで操作し得るシリンダー錠を有する施錠装置が備えられ、鍵を一方向へ回動することにより内枠が開錠され、他方向へ回動することにより透明板保持枠や前板が開錠するようになっている（例えば、特許文献１〜２参照）。
【０００３】
【特許文献１】特開２００７−１１７３８０号公報
【特許文献２】特開２００７−１２５１４３号公報
【発明の開示】
【発明が解決しようとする課題】
【０００４】
しかしながら、これら施錠装置は、遊技機本体の内枠の開放側端部に備えることを前提としており、遊技機の設計の自由度を制約することがあった。
【０００５】
本発明の課題は、遊技機本体に備えられて前扉を施錠するための、設計の自由度を向上させた遊技機の施錠装置を提供することにある。
【課題を解決するための手段】
【０００６】
本発明者は、可撓性を有するフレキシブルケーブルを備える構成とすることにより、上記課題を解決しうることを見出した。すなわち、本発明によれば、以下の遊技機の施錠装置が提供される。
【０００７】
［１］  遊技盤が配設された遊技機本体に備えられ、錠軸の回動に伴って回動するカム片を有するシリンダー錠と、前記カム片の回動に伴って直線変位するスライド板と、前記スライド板の直線変位方向の一端及び他端側に、可撓性を有するフレキシブルケーブルと、それぞれの前記フレキシブルケーブルの前記スライド板側とは反対の端部に、前記遊技機本体の前面に開閉可能に備えられた前扉を係止することによりその前扉を施錠し、鍵の操作による前記錠軸の回動により前記スライド板の直線変位に伴って前記フレキシブルケーブルが変位して開錠する鉤部と、を備える遊技機の施錠装置。
【０００８】
［２］  前記フレキシブルケーブルは、前記スライド板と前記鉤部とに接続され前記シリンダー錠の前記錠軸の回動による変位を前記スライド板から前記鉤部へと伝達するインナーワイヤーと、そのインナーワイヤーを内包するアウターケーシングとによって構成されている前記［１］に記載の遊技機の施錠装置。
【０００９】
［３］  前記カム片は、前記錠軸の回動に伴う自身の回動により前記スライド板と係合する係合部を有し、前記係合部により前記スライド板に係合して前記スライド板を直線変位させる前記［１］または［２］に記載の遊技機の施錠装置。
【００１０】
［４］  前記鉤部は、前記遊技機本体に取り付けられる取付板と、前記取付板に支持軸によって回動可能に固定されその先端部が鉤状の鉤状先端部とされたフックと、前記取付板に一端が接続され他端が前記フックの前記支持軸を挟んで前記鉤状先端部とは反対側に接続されたばねと、を備え、前記フックの前記支持軸を挟んで前記ばねの他端が接続された側と反対側の前記鉤状先端部側に前記フレキシブルケーブルが接続されており、前記ばねの弾性力により前記フックの前記鉤状先端部にて前記前扉を係止することにより施錠し、前記シリンダー錠の錠軸の回動によるフレキシブルケーブルの変位によって前記フックを回動させて開錠する前記［１］〜［３］のいずれかに記載の遊技機の施錠装置。
【００１１】
［５］  回動可能に前記シリンダー錠と、直線変位可能に前記スライド板とを前記遊技機本体に取り付ける錠取付板を有する前記［１］〜［４］のいずれかに記載の遊技機の施錠装置。
【００１２】
［６］  前記フレキシブルケーブルは、前記鉤部の前記取付板及び前記錠取付板の少なくとも一方に、前記スライド板と前記鉤部間の長さを調節するための調節部が設けられた前記［５］に記載の遊技機の施錠装置。
【発明の効果】
【００１３】
本発明の遊技機の施錠装置は、鍵の操作によってシリンダー錠の錠軸を回動させて、フレキシブルケーブルによって開錠することができる。本発明の遊技機の施錠装置は、フレキシブルケーブルを備えた構成とすることにより、施錠装置を直線状のみならず、曲線状に遊技機本体に備えることができる。このため、施錠装置の配置の自由度が増加し、遊技機の設計の自由度を向上させることができる。また、従来の板金による施錠装置に比べ、製造コストを削減することも可能である。
【発明を実施するための最良の形態】
【００１４】
以下、図面を参照しつつ本発明の実施の形態について説明する。本発明は、以下の実施形態に限定されるものではなく、発明の範囲を逸脱しない限りにおいて、変更、修正、改良を加え得るものである。
【００１５】
パチンコ遊技機１は、縦長方形状の外枠及び内枠を備えた遊技機本体２と、遊技機本体１の前面に一側上下部のヒンジ３により開閉自在に取り付けられている前扉１３とを備える。遊技機本体２には遊技盤４が配設され、遊技盤４の前面に外側・内側のガイドレール（図示せず）が渦巻状に敷設されている。
【００１６】
これら外側・内側のガイドレールにより囲まれて遊技部に、遊技部を流下する遊技球の流れ方向をランダムに変化させ興趣のあるゲーム性を与える多くの障害釘や風車、中央に位置する可変表示装置、遊技球が入賞することにより可変表示装置を動作させる始動入賞口、可変表示装置が特別な図柄を表示し特別遊技状態になったとき一度に多くの入賞球が発生し沢山の賞球が得られる大型の入賞装置、一回の入賞により所定個数（例えば、１３個）の賞球が払い出される一般入賞口等の所謂盤面部品が配置される（図示せず）。
【００１７】
遊技機本体２の前面の一側に遊技盤４の前面を覆う前扉１３が開閉自在に取り付けられている。前扉１３は、その中央に遊技盤４の前面の遊技部が臨む窓開口１５が開設され、窓開口１５に合成樹脂製の透明板１６が装着されている。なお、透明板１６はガラス製であっても良い。前扉１３の下方に遊技機本体２の下部前面を覆う前板１７が同じく遊技機本体２の前面一側に開閉自在に取り付けられている。この前板１７の前面には、打球発射レールの打球発射部に供給される賞球または貸し球としての遊技球を貯留するための球皿を有する上皿ユニット２０が装着されている。また、遊技機本体２の下端部前面に上皿ユニット２０から溢れる遊技球を貯留するための球皿を有する下皿ユニット２１が装着されている。下皿ユニット２１の一側に打球の発射力を調整するための操作ハンドル２２が装着されている。
【００１８】
以上のような構成により、打球発射部から発射された打球は、外側のガイドレールと内側のガイドレールとの間の球飛走通路を通って遊技部に打ち込まれる。その内、打球が例えば一般入賞口に入賞すると、球払出装置から所定量の賞球としての遊技球が払い出される。これら賞球は上皿ユニット２０に貯留される。
【００１９】
前扉１３の開放側の裏側の遊技機本体２の側縁に沿って施錠装置３１が装着されている。施錠装置３１には、中央よりやや下方の前面に前方へ突出するシリンダー錠３２が設けられている。シリンダー錠３２の錠穴部３２ａに鍵を差し込み操作すると、前扉１３が開錠できるようになっている。
【００２０】
次に、図３〜図７を用いて施錠装置３１について詳しく説明する。図３は、一方側から見た施錠装置３１の斜視図、図４は、他方側から見た施錠装置３１の斜視図である。
【００２１】
施錠装置３１は、鍵を鍵穴部３２ａに挿入して操作することにより、錠軸３２ｊの回動に伴って回動するカム片３３を有するシリンダー錠３２と、カム片３３の回動に伴って直線変位するスライド板３４と、スライド板３４の直線変位方向の一端及び他端側に、可撓性を有するフレキシブルケーブル５１と、それぞれのフレキシブルケーブル５１のスライド板３４側とは反対の端部に、遊技機本体の前面に開閉可能に備えられた前扉１３を係止することによりその前扉１３を施錠し、スライド板３４の直線変位に伴ってフレキシブルケーブル５１が変位することにより変位して開錠する鉤部４１とを備える。
【００２２】
フレキシブルケーブル５１は、スライド板３４と鉤部４１とに接続されシリンダー錠３２の錠軸３２ｊの回動による変位をスライド板３４から鉤部４１へと伝達するインナーワイヤー５２と、そのインナーワイヤー５２を内包するアウターケーシング５３とによって構成されている。インナーワイヤー５２は、複数本の鋼線のワイヤーをより合わせて作られている。また、アウターケーシング５３は、可撓性を有するパイプ状のワイヤーであり、例えば、インナーケーブル５２の外周面と摺動する合成樹脂製のケーブルライナと、このケーブルライナの外周に螺旋状に巻かれている帯鋼板と、更にこの帯鋼板の外周を被覆する合成樹脂製のジャケットで構成されている。
【００２３】
フレキシブルケーブル５１は、容易に変形可能であり、直線状のみならず、曲線状に施錠装置３１を遊技機に取り付けることも可能である。インナーワイヤー５２は、アウターケーシング５３に挿通され、アウターケーシング５３は、インナーワイヤー５２をガイドする。そして、アウターケーシング５３内で、インナーワイヤー５２がスライドするように構成されている。インナーワイヤー５２は、アウターケーシング５３によってガイドされるため、曲線状に取り付けられていても、インナーワイヤー５２は、アウターケーシング５３内にてスライドすることが可能である。
【００２４】
スライド板３４は、一端と他端がフレキシブルケーブル５１と接続されている。また、その本体部には、一端と他端との対角側に、凹部３４ｋが形成され、凹部３４ｋがカム片３３の係合部３３ｋと係合する係合部３４ｋとされる。
【００２５】
さらに、施錠装置３１は、回動可能にシリンダー錠３２と、直線変位可能にスライド板３４とを遊技機本体２に取り付ける錠取付板であるベース板３５を有する。シリンダー錠３２は、挿入孔を有するベース板３５に挿入された状態で、ベース板３５が遊技機本体２に取り付けられることにより、鍵を挿入する鍵穴部３２ａを前面側にして、遊技機本体２に取り付けられている。シリンダー錠３２の後面側には、錠軸３２ｊにカム片３３が取り付けられている。カム片３３は、錠軸３２ｊの回動に伴う自身の回動によりスライド板３４と係合する２つの係合部３３ｋを有する。係合部３３ｋは、錠軸３２ｊから突出しており、錠軸３２ｊの回動に伴ってカム片３３が錠軸３２ｊに対し直交する面内で回動するようになっており、係合部３３ｋがスライド板３４に係合してスライド板３４を直線変位させる。すなわち、シリンダー錠３２に鍵を挿入して鍵を回動させることによるシリンダー錠３２の回動変位が、カム片３３を介してスライド板３４にて直線変位へと変化される。
【００２６】
インナーワイヤー５２によってスライド板３４と接続されている鉤部４１は、遊技機本体２に取り付けられる取付板４２と、取付板４２に支持軸４５によって回動可能に固定されその先端部が鉤状の鉤状先端部４３ａとされたフック４３と、取付板４２に一端が接続され他端がフック４３の支持軸を挟んで鉤状先端部とは反対側に接続されたばね４４と、を備える。そして、フック４３の支持軸を挟んでばね４４の他端が接続された側と反対側の鉤状先端部側にフレキシブルケーブル５１が接続されている。具体的には、支持軸４５は、フック４３に形成された軸孔に軸ピン（図示せず）が挿通されて、取付板４２に固定されることにより、形成され、軸ピンを中心として、フック４３が回転する。ばね４４は、取付板４２とフック４３との間に取り付けられ、ばね４４の弾性力により、フック４３の鉤状先端部４３ａが上側に付勢される。このばね４４の弾性力によりフック４３の鉤状先端部にて前扉１３を係止することにより施錠し、シリンダー錠３２の錠軸３２ｊの回動によるフレキシブルケーブル５１の変位によってフック４３を回動させて開錠する。
【００２７】
フレキシブルケーブル５１は、鉤部４１の取付板４２及び錠取付板の少なくとも一方に、スライド板と鉤部間の長さを調節するための調節部として、調節ナット５７を備えるとよい。このような構成とすることにより、スライド板と鉤部間の長さを変化させることができため、施錠装置３１の取り付けの自由度がさらに向上する。
【００２８】
次に図５〜図７を用いて、施錠及び開錠について説明する。前扉１３が遊技機本体２に閉じられている場合には、図５及び図６に示すように、フック４３は、ばね４４によって鉤状先端部４３ａが上側に付勢されることにより前扉１３裏面のロックプレート８１に下側から係合して前扉１３は遊技機本体２に閉状態にて施錠されている。この状態で、シリンダー錠３２の鍵穴部３２ａに鍵を挿入して錠軸３２ｊを回動させると、図７に示すように、カム片３３が回動し、カム片３３の一方の係合部３３ｋがスライド板３４の一方の係合部３４ｋに係合しスライド板３４を下に押し下げることにより、ばね４４によって上側に付勢されていた鉤状先端部４３ａを下側へ移動させることにより、ロックプレート８１と鉤状先端部４３ａとの係合が解かれて、前扉１３を開放させることができる。
【産業上の利用可能性】
【００２９】
本発明の施錠装置は、遊技機に備えて、遊技機の本体の前面に取り付けられた扉の施錠・開錠に利用することができる。
【図面の簡単な説明】
【００３０】
【図１】本発明の施錠装置を備えるパチンコ機の一実施形態を示す斜視図である。
【図２】施錠装置の取付け形態を示すパチンコ機の斜視図である。
【図３】本発明の施錠装置を一方側から見た斜視図である。
【図４】本発明の施錠装置を他方側から見た斜視図である。
【図５】施錠状態を説明するための一部斜視図である。
【図６】施錠状態を説明するための一部断面図である。
【図７】開錠状態を説明するための一部斜視図である。
【符号の説明】
【００３１】
１：遊技機、２：遊技機本体、４：遊技盤、１３：前扉、１５：窓開口、１６：透明板、１７：前板、２０：上皿ユニット、２１：下皿ユニット、２２：操作ハンドル、３１：施錠装置、３２：シリンダー錠、３２ａ：鍵穴部、３２ｊ：錠軸、３３：カム片、３３ｋ：係合部、３４：スライド板、３４ｋ：係合部、３５：ベース板、４１：鉤部、４２：取付板、４３：フック、４３ａ：鉤状先端部、４４：ばね、４５：支持軸、５１：フレキシブルケーブル、５２：インナーワイヤー、５３：アウターケーシング、５７：調節ナット、８１：ロックプレート。
【図１】
2009060980.tif 000003
【図２】
2009060980.tif 000004
【図３】
2009060980.tif 000005
【図４】
2009060980.tif 000006
【図５】
2009060980.tif 000007
【図６】
2009060980.tif 000008
【図７】
2009060980.tif 000009